【事件の表示】
　平成１１年特許願第１７７３９９号「同期検出装置およびそれを備える無線装置」拒絶査定不服審判事件〔平成１３年　１月１２日出願公開、特開２００１−　　７７８３〕について、次のとおり審決する。
【結　論】
　本件審判の請求は、成り立たない。
【理　由】
１．手続の経緯
　本件出願は、平成１１年６月２３日の出願であって、平成１６年３月２３日付けで拒絶査定され、同年４月３０日に審判請求がなされるとともに手続補正がされ、さらに同年５月２７日に手続補正がされたものである。
　審判請求時（平成１６年４月３０日付）の補正は、特許請求の範囲を次のように補正するものである。
　「【請求項１】　複数のユーザからの複数のデジタル送信信号の到来タイミングを検出する同期検出装置であって、
　前記複数のデジタル送信信号の各々は、対応するユーザごとに異なるトレーニングシンボル列を有し、
　前記同期検出装置は、
　前記複数のユーザにそれぞれ対応する複数の相関検出器を備え、
　前記複数の相関検出器の各々は、
　前記複数のデジタル送信信号を含む入力信号を受け、複数のタップを有する信号伝達経路と、
　前記入力信号と前記複数のタップの各々からの信号を一方入力に受け、他方入力に対応するユーザのトレーニングシンボル列をそれぞれ受ける複数の乗算器と、
　前記複数の乗算器からの信号を加算して、検出信号を生成する加算器とを備える、同期検出装置。」
　また、平成１６年５月２７日付の補正は、特許請求範囲を次のように補正するものである。
　「【請求項１】　複数のユーザからの複数のデジタル送信信号の到来タイミングを検出する同期検出装置であって、
　前記複数のデジタル送信信号
はそれぞれ
　前記同期検出装置は、
　前記複数のユーザにそれぞれ対応する複数の相関検出器を備え、
　前記複数の相関検出器の各々は、
　前記複数のデジタル送信信号を含む入力信号を受け、複数のタップを有する信号伝達経路と、
　前記入力信号と前記複数のタップの各々からの信号とを一方入力に
それぞれ
　前記複数の乗算器からの信号を加算して、検出信号を生成する加算器とを備える、同期検出装置。」
　
２．平成１６年５月２７日付け手続補正についての補正却下の決定
［補正却下の決定の結論］
　平成１６年５月２７日付け手続補正を却下する。
　
［理由］　
　本件補正は、補正前の請求項１に記載された「前記複数のデジタル送信信号の各々は、対応するユーザごとに異なるトレーニングシンボル列を有し」を、「前記複数のデジタル送信信号
はそれぞれ
それぞれ
　したがって、本件補正は、特許法第１７条の２第４項の規定に違反するものであり、特許法第１５９条第１項で読み替えて準用する同法第５３条第１項の規定により却下すべきものである。
　
３．本願発明について
（１）本願発明
　平成１６年５月２７日付けの手続補正は上記のとおり却下されたので、本件出願の請求項１に係る発明（以下、「本願発明」という。）は、平成１６年４月３０日付け手続補正書の特許請求の範囲の請求項１に記載されたとおりのものである（上記「１．」参照）。
　
（２）引用例等
　原査定の拒絶の理由に引用された刊行物である特開平９−５５７２７号公報（以下、「引用例」という。）には、図面と共に次の記載がある。
　「【請求項１】  異なる送信機から同じタイミング、同じ周波数で信号を送信するとともに、それぞれ同期をとるために送信信号中に既知のパタンを挿入して送信する無線システムにおいて、受信側の同期装置が、受信信号に対して所望波の既知のパタンとの相関をとる第１の相関手段と、受信信号に対して干渉波の既知のパタンとの相関をとる第２の相関手段と、第１および第２の相関手段からそれぞれ出力された相関値から同期判定を行い、先に同期が検出された方を同期確立と判定する同期判定手段とを備えた同期装置。」（１欄２〜１１行）
　「【０００４】図６は送信信号のフレームフォーマットを示し、６０１はデータ、６０２は同期ワード、６０３はデータである。ここでは、同期をとるための既知のパタンである同期ワード６０２は送信信号の中央に配置している。シンボル長はＭシンボルとし、ここではＭ＝１０である。通常、この既知のパターンを同期ワードの他に同期シンボルと呼ぶこともある。
【０００５】メモリ５０３には、所望波の同期ワードｓｗｌ1 、ｓｗｌ2 、・・・、ｓｗｌM が保存される。ｓｗｌX はｘシンボル目の所望波の同期ワードの同相成分と直交成分の組みで、ここでは複素数として表現される。
【０００６】図７は相関器５０１の構成例を示す。相関器５０１は、Ａ／Ｄ変換された受信波の直交成分５０４と同相成分５０５が同期ワード長だけ保存されるシフトレジスタ７０１を有する。時刻Ｔにおいて、シフトレジスタ７０１は、時刻Ｔ−Ｎ＋１からＴまでのＮ個の受信データｒT-N+1 、ｒT-N+2 、ｒT を保存する。ｒT は時刻Ｔにおける受信波の直交成分５０４と同相成分５０５の組みで、ここでは複素数として表現される。複素乗算器７０２は、シフトレジスタ７０１の内容（受信した所望波の同期ワード）とメモリ７０３の内容（メモリ５０３から移した所望波の同期ワード）とを複素演算し、その結果を加算器７０４に入力し、加算器７０４は相関値ｓを出力する。」（２欄１１〜３５行）
　「【実施例】
（実施例１）図１は本発明の第１の実施例における同期装置の構成を示すものである。同じタイミング、同じ周波数で信号を送信し、それぞれ同期をとるために送信信号中に既知のパタンを挿入して送信する２つの異なる送信機をＡとＢとし、送信機Ａが送信する信号を所望波、送信機Ｂが送信する信号を干渉波とする。図１において、１０１は送信機Ａからの同期ワードと相関をとる相関器Ａであり、１０２は送信機Ａの同期ワードを保存するメモリＡである。１０３は送信機Ｂからの同期ワードと相関をとる相関器Ｂであり、１０４は相関器Ｂからの同期ワードを保存するメモリＢである。１０５は送信機Ａの同期ワードとの相関値から同期判定を行うとともに、送信機Ｂの同期ワードとの相関値から同期判定を行い、先に同期が検出された方を同期確立と判定する同期判定回路である。１０６は相関器１０１、１０３および同期判定回路１０５を動作させる基準となるクロックパルス、１０７は受信波の直交成分、１０８は受信波の同相成分である。
【００１５】以上のように構成された同期装置において、以下図１のブロック図および図６のフレームフォーマット図を参照してその動作を説明する。本実施例における送信信号のフレームフォーマットは、図６に示す従来例と同じものであり、同期をとるための既知のパタンである同期ワード６０２を送信信号の中央に配置しているが、データ６０１の前方またはデータ６０３の後方でも差し支えない。
【００１６】メモリ１０２とメモリ１０４には、それぞれ所望波と干渉波の同期ワード（ここではＭシンボルとする）ｓｗ１1 、ｓｗ１2 、・・・、ｓｗ１M 、ｓｗ２1 、ｓｗ２2 、・・・、ｓｗ２M が保存される。ｓｗ１X 、ｓｗ２X は、それぞれｘシンボル目の所望波、干渉波の同期ワードの同相成分と直交成分の組みで、ここでは複素数として表現される。
【００１７】相関器１０１の構成は、図７に示す従来例の相関器の構成と同じとする。相関器１０１は、Ａ／Ｄ変換された受信波の直交成分と同相成分が同期ワード長だけ保存するシフトレジスタ７０１を有する。このシフトレジスタ７０１は、相関器１０３と共有することが可能である。時刻Ｔにおいて、シフトレジスタ７０１には、時刻Ｔ−Ｎ＋１からＴまでのＮ個の受信データｒT-N+1 、ｒT-N+2 、ｒT が保存されている。ｒT は時刻Ｔにおける受信信号の同相成分と直交成分の組みで、ここでは複素数として表現される。複素乗算器７０２は、シフトレジスタ７０１の内容（受信した所望波の同期ワード）とメモリ７０３の内容（メモリ１０２から移された所望波の同期ワード）とを複素演算し、その結果を加算器７０４に入力し、加算器７０４は、相関値ｓ１を出力する。
【００１８】
【数２】（省略）
相関値ｓ１は、Ｍシンボル分の所望波の同期ワードの波形と受信信号の波形がどれだけ似ているかを表し、波形が似ていれば似ているほど１に近づき、完全に一致するとき１になる。逆に波形が似ていなければ似ていないほど０に近づく。受信波形との相関をとる処理により、相関値が高い時刻であれば、同期ワードを受信していると判断することができる。
【００１９】相関器１０３の構成も図７に示す従来例の相関器と同じである。相関器１０３は、Ａ／Ｄ変換された受信波の直交成分と同相成分が同期ワード長だけ保存するシフトレジスタ７０１を有する。このシフトレジスタ７０１は、相関器１０１と共有することが可能である。時刻Ｔにおいて、シフトレジスタ７０１には、時刻Ｔ−Ｎ＋１からＴまでのＮ個の受信データｒT-N+1 、ｒT-N+2 、ｒT が保存されている。ｒT は時刻Ｔにおける受信信号の同相成分と直交成分の組みで、ここでは複素数として表現される。複素乗算器７０２は、シフトレジスタ７０１の内容（受信した干渉波の同期ワード）とメモリ７０３の内容（メモリ１０４から移された干渉波の同期ワード）とを複素演算し、その結果を加算器７０４に入力し、加算器７０４は、相関値ｓ２を出力する。
【００２０】
【数３】（省略）
【００２１】同期判定回路１０５では、相関器１０１と相関器１０３からの入力をもとに同期ワード受信時刻であるかどうかの判定を行う。例えば、相関器１０１または相関器１０３のどちらからでも早く高い相関値が得られたときを同期ワード受信時刻と判断する。」（３欄４９行〜５欄３７行）
　
　上記記載から、引用例の送信信号はデジタル送信信号であり（【図６】等）、送信信号中に既知のパタンである同期ワード（同期シンボル）が含まれること（【０００４】、【図６】等）、第１及び第２の相関手段は、Ａ／Ｄ変換された受信信号が同期ワード長だけ保存されるシフトレジスタと、シフトレジスタの内容とメモリの内容とを受けるそれぞれ複数の乗算器と、該複数の乗算器からの信号を加算して相関値を出力する加算器とを備えること（【０００６】、【００１７】、【図７】等）、第１及び第２の相関手段に対応したメモリには、各々、異なる送信機からの送信信号に含まれる同期ワードｓｗ１x 、ｓｗ２x が保存されており、両者は異なるワードであること（【００１６】等）が、それぞれ認定できる。
　したがって、引用例には、「異なる送信機から同じタイミング、同じ周波数で信号を送信するとともに、それぞれ同期をとるために送信信号中に同期ワードを挿入して送信する無線システムにおいて、受信側の同期装置が、受信信号に対して所望波の同期ワードとの相関をとる第１の相関手段と、受信信号に対して干渉波の同期ワードとの相関をとる第２の相関手段と、第１および第２の相関手段からそれぞれ出力された相関値から同期判定を行い、先に同期が検出された方を同期確立と判定する同期判定手段とを備えた同期装置であって、前記送信信号は、デジタル送信信号であり、一方の送信信号は同期ワードｓｗ１x を有し、他方の送信信号は上記同期ワードとは異なる同期ワードｓｗ２x を有し、第１及び第２の相関手段は、各々、Ａ／Ｄ変換された受信信号が同期ワード長だけ保存されるシフトレジスタと、シフトレジスタの内容と対応する同期ワードを保存するメモリの内容とを受ける複数の乗算器と、該乗算器からの信号を加算して相関値を出力する加算器とを備える、同期装置。」の発明（以下、「引用発明」という。）が記載されている。
　
　また、本件出願時において、受信信号の到来タイミングの検出方法として、「複数のタップを有する信号伝達経路と、前記複数のタップの各々からの受信信号列を一方入力に受け、他方入力に同期パターンのシンボル列をそれぞれ受ける複数の乗算器と、前記乗算器からの信号を加算して、検出信号を生成する加算器とを備える相関器」を用いることは周知であり、例えば、次の各文献に記載されている。
（ア）特開平４−７２９３２号公報
　「第３図に本発明のフレーム同期方式に用いる相関器の一例を示す。この相関器はトランスバーサルフィルタによって構成されている。トランスバーサルフィルタのタップ係数（Ｃ１〜Ｃｎ；３０２）はパターンメモリ１０２から与えられるもので、同期ワードの共役複素からなる。乗算部３０４はトランスバーサルフィルタの出力の電力を算出するものである。」（４頁上段右１４行〜同頁下段左１行）
（イ）特開平８−２９８４８３号公報
　「【００２１】受信信号はアンテナ１を経た後、ＲＦ／ＩＦモジュール２においてＩＦ帯域に周波数変換される。ＲＦ／ＩＦモジュール２から出力されるＩＦ信号は直交復調部３へ入力され、直交する２相のベースバンド信号が生成される。生成された直交２相信号は、モジュールＡ４に入力され、トランスバーサルフィルタ７に入力される。トランスバーサルフィルタ７は、図９に示すブロック図の様に構成されており予め送信信号中に挿入されたデータパターン、例えば”１・・・０１１”と同じパターンをタップ利得として、データパターン長と同じ長さの遅延線１９上の信号に重み付けし、その結果を一括して加算器１２で加算し出力する。そして２つのトランスバーサルフィルタ７の出力ＩとＱ（図示せず）から、振幅抽出器９においては、例えばＲＯＭやＤＳＰ等を用いてＩとＱの振幅√（Ｉ×Ｉ＋Ｑ×Ｑ）が演算される。一方でモジュールＡ４に入力された直交２相信号は、検波器８によって復調され（なお、この検波器８は図１２に示すような遅延検波型の検波器によって構成されている）、相関器で構成されるデータパターン抽出部１０により、検波器８出力から上述のデータパターン”１・・・０１１”を抽出すると、そのタイミング情報から、振幅抽出器９においては、トランスバーサルフィルタ７においてのタップ利得のデータパターンと乗算器１１で対応する遅延線１９上のデータパターンが一致する時のＩとＱの振幅√（Ｉ×Ｉ＋Ｑ×Ｑ）のみを保持し、振幅抽出器９の出力とする。そして検波器８出力から上述のデータパターン”１・・・０１１”を抽出する度にその出力を更新する。さらに、検波器８出力に対して、上述のデータパターンの位相が一致する時のＩとＱの振幅、すなわち振幅抽出器９出力が乗ぜられ、モジュールＡ４の出力となる。」（４欄４９行〜５欄２９行）
（ウ）特開平９−２７７９７号公報
　「【０００８】概念上、固定長のPN符号検出整合フィルタ同期システムはタップ遅延線に受動型フィルタを加え、これを使用しPN符号の波形をマッチングさせるものと見做すことが可能である。図１は従来技術の信号検出整合フィルタ10の構築システムである。これには遅延線121 ,122, ………12n , 12n+1 を含んでおり、その各レベルは乗算器141 ,142 ,………14n-1,14n 及び加算器16に接続している。図中の四角内のＴは遅延時間Ｔを表しており、X1,X2,…… Xn , X n+1 は入力の系列、a1……… an-1 ,an はPN符号である。」（４欄１２〜２１行）
　
（３）対比・判断
　本願発明と引用発明とを対比すると、両者はともに、「複数のデジタル送信信号を受信する同期装置」であって、引用発明の「送信機」、「同期ワード」、「相関手段」は、本願発明の「ユーザ」、「トレーニングシンボル列」、「相関検出器」にそれぞれ相当し、引用発明の「Ａ／Ｄ変換された受信信号が同期ワード長だけ保存されるシフトレジスタ」及び「シフトレジスタの内容と対応する同期ワードを保存するメモリの内容とを受ける複数の乗算器」と、本願発明の「複数のデジタル送信信号を含む入力信号を受け、複数のタップを有する信号伝達経路」及び「入力信号と前記複数のタップの各々からの信号を一方入力に受け、他方入力に対応するユーザのトレーニングシンボル列をそれぞれ受ける複数の乗算器」は、「複数のデジタル送信信号を含む入力信号を受ける信号伝達経路」及び「信号伝達経路からの信号を一方入力に受け、他方入力に対応するユーザのトレーニングシンボル列をそれぞれ受ける複数の乗算器」である点でそれぞれ共通するから、両者は、「複数のユーザからの複数のデジタル送信信号を受信する同期装置であって、前記複数のデジタル送信信号の各々は、対応するユーザごとに異なるトレーニングシンボル列を有し、前記同期装置は、前記複数のユーザにそれぞれ対応する複数の相関検出器を備え、前記複数の相関検出器の各々は、前記複数のデジタル送信信号を含む入力信号を受ける信号伝達経路と、信号伝達経路からの信号を一方入力に受け、他方入力に対応するユーザのトレーニングシンボル列をそれぞれ受ける複数の乗算器と、前記複数の乗算器からの信号を加算して、検出信号を生成する加算器とを備える、同期装置。」である点で一致し、次の点で相違する。
（ア）本願発明は、「複数のユーザからの複数のデジタル送信信号の到来タイミングを検出する同期検出装置」であるのに対し、引用発明は、「異なる送信機から同じタイミング、同じ周波数で信号を送信するとともに、第１および第２の相関手段からそれぞれ出力された相関値から同期判定を行い、先に同期が検出された方を同期確立と判定する同期判定手段とを備えた同期装置」である点。
（イ）相関検出器について、本願発明は、「複数のタップを有する信号伝達経路と、前記入力信号と前記複数のタップの各々からの信号を一方入力に受ける複数の乗算器」とを備えるものであるのに対し、引用発明は、「Ａ／Ｄ変換された受信信号が同期ワード長だけ保存されるシフトレジスタと、シフトレジスタの内容を受ける複数の乗算器」とを備えるものである点。
　上記相違点（ア）について検討する。引用発明は、「異なる送信機から同じタイミング、同じ周波数で信号を送信するとともに、第１および第２の相関手段からそれぞれ出力された相関値から同期判定を行い、先に同期が検出された方を同期確立と判定する同期判定手段とを備えた同期装置」であるものの、複数のユーザに同一チャネルを割り当てる通信方式は、例えばＳＤＭＡとして周知であり、引用発明を該周知の通信方式に適用して異なる送信機からの送信信号の各々の到来タイミングを検出するようにすることに何ら阻害事由はない。したがって、相違点（ア）に係る本願発明の構成を得ることは当業者が容易に想到し得ることである。
　上記相違点（イ）について検討する。上記（２）で説示したように、同期タイミングの検出方法として、「複数のタップを有する信号伝達経路と、前記複数のタップの各々からの受信信号列を一方入力に受け、他方入力に同期パターンのシンボル列をそれぞれ受ける複数の乗算器と、前記乗算器からの信号を加算して、検出信号を生成する加算器とを備える相関器」を用いることは周知であり、一番目の乗算器に入力される信号として、信号伝達経路のタップ出力ではなく、入力信号を選択することは設計的事項にすぎないから、該周知技術を適用して相違点（イ）に係る本願発明の構成を得ることに困難性はない。
　また、本願発明の効果も引用発明及び周知技術から当業者が予測し得る範囲のものである。
　
（４）むすび
　以上のとおり、本願発明は、引用発明及び周知技術に基づいて当業者が容易に発明をすることができたものであるから、特許法第２９条第２項の規定により特許を受けることができない。
　
　よって、結論のとおり審決する。